(57)【要約】本発明は、ＲＳＳ基盤のコンテンツ抽出サーバ、抽出方法及びそのサーバの管理装置、並びにこれを利用した移動通信端末装置の待機画面提供システムを提供する。本発明の実施の形態によるＲＳＳ移動通信端末装置の待機画面提供システムは、ＲＳＳフィードで作成されるアップデートコンテンツを提供する少なくとも一つのコンテンツサーバと、前記アップデートコンテンツを収集し分析及び分類し、大きさ及びデータ形式のうち、少なくとも一つを変換してモバイルコンテンツを生成するコンテンツ抽出サーバと、前記変換コンテンツを格納するデータベースと、前記データベースに格納されたモバイルコンテンツを移動通信端末装置に提供する待機画面提供サーバと、を備えて構成されるが、前記コンテンツ抽出サーバは、ＲＳＳフィードで作成されるアップデートコンテンツを収集するＲＳＳ収集器、前記アップデートコンテンツのうち、タグを部分的に抽出するコンテンツ収集器、及び前記抽出されたタグが送信される端末装置に適用できるように大きさ及びデータ形式のうち、少なくとも一つを変換してユーザコンテンツを生成するコンテンツ変換器と、を備える。本発明の実施の形態によると、ＲＳＳ方式が適用される多様なコンテンツからアップデートされる情報をユーザの望む時間により便利な方法で獲得できるようにし、ＲＳＳ方式を適用した多様なサービスシステム及び方法を支援することができる。【特許請求の範囲】
【請求項１】
ＲＳＳフィードで作成されるアップデートコンテンツを提供する少なくとも一つのコンテンツサーバと、
前記アップデートコンテンツを収集し分析及び分類し、大きさ及びデータ形式のうち、少なくとも一つを変換してモバイルコンテンツを生成するコンテンツ抽出サーバと、
前記変換コンテンツを格納するデータベースと、
前記データベースに格納されたモバイルコンテンツを移動通信端末装置に提供する待機画面提供サーバと、を備え、
前記コンテンツ抽出サーバは、ＲＳＳフィードで作成されるアップデートコンテンツを収集するＲＳＳ収集器と、前記アップデートコンテンツのうち、タグを部分的に抽出するコンテンツ収集器と、及び前記抽出されたタグが送信される端末装置に適用できるように大きさ及びデータ形式のうち、少なくとも一つを変換してユーザコンテンツを生成するコンテンツ変換器と、を備えることを特徴とするＲＳＳ基盤移動通信端末装置の待機画面提供システム。
【請求項２】
前記各移動通信端末装置によるユーザ情報を提供するユーザ情報サーバ、及び前記モバイルコンテンツを前記各移動通信端末装置に提供するメッセージサーバをさらに備えることを特徴とする請求項１に記載のＲＳＳ基盤の移動通信端末機の待機画面提供システム。
【請求項３】
前記端末装置は、
前記コンテンツ抽出サーバを管理するコンテンツ抽出サーバの管理装置を具備し、
前記コンテンツ抽出サーバの管理装置は、管理者のための管理者モジュール、前記コンテンツサーバを管理するＣＰ管理モジュール、ＲＳＳチャネル及びコンテンツ管理モジュール、掲示板／ヒストリーモジュールを備えることを特徴とする請求項１に記載のＲＳＳ基盤の移動通信端末機の待機画面提供システム。
【請求項４】
前記待機画面提供サーバは、
無線インターネットプッシュ及びプルメッセージ管理ソリューションを提供し、待機画面制御システム、コンテンツ管理サーバ、ＰＤＭサーバ、ＣＲＭサーバ、広告サーバ、プルデータコントローラのうち、少なくとも一つを備えることを特徴とする請求項１に記載のＲＳＳ基盤の移動通信端末機の待機画面提供システム。
【請求項５】
ＲＳＳフィードで作成されるアップデートコンテンツを収集するＲＳＳ収集器と、
前記アップデートコンテンツのうち、タグを部分的に抽出するコンテンツ収集器と、
前記抽出されたタグが送信される端末装置に適用できるように、大きさ及びデータ形式のうち、少なくとも一つを変換してユーザコンテンツを生成するコンテンツ変換器と、を備えて構成されることを特徴とするＲＳＳ基盤のコンテンツ抽出サーバ。
【請求項６】
前記コンテンツ収集器は、
前記アップデートコンテンツを前記ＲＳＳフィード内にディスクリプションフィールドが含まれて前記ディスクリプションフィールドを前記抽出されるタグとして決定する第１コンテンツパターンと、
前記アップデートコンテンツ内のタイトルの位置を基準に、前記タグを抽出する第２コンテンツパターンと、
前記アップデートコンテンツ内の各タグを予め定めた基準に応じて点数を付与し、一定の数値以上の前記点数を獲得するタグを抽出する第３コンテンツパターンと、
前記アップデートコンテンツ内の一定部分をドラッグして、直接的にタグを抽出する第４コンテンツパターンと、にそれぞれ分類することを特徴とする請求項５に記載のＲＳＳ基盤のコンテンツ抽出サーバ。
【請求項７】
前記コンテンツ収集器は、
前記第３コンテンツパターンと前記第４コンテンツパターンとを分類するために、タグの点数をそれぞれ付与するタグスコアリングモジュールを備えることを特徴とする請求項６に記載のＲＳＳ基盤のコンテンツ抽出サーバ。
【請求項８】
前記タグは、
前記アップデートコンテンツに含まれた題目と内容のうち、少なくとも一つであることを特徴とする請求項６に記載のＲＳＳ基盤のコンテンツ抽出サーバ。
【請求項９】
前記ＲＳＳ収集器が前記アップデートコンテンツを収集する時点を制御するアップデートスケジューラをさらに備えることを特徴とする請求項５に記載のＲＳＳ基盤のコンテンツ抽出サーバ。
【請求項１０】
前記アップデートスケジューラは、
コンテンツサーバに前記アップデートコンテンツが生成される時点、前記コンテンツ抽出サーバが定める一定周期、前記端末装置がアクティブになる時点のうち、少なくとも一つを制御することを特徴とする請求項９に記載のＲＳＳ基盤のコンテンツ抽出サーバ。
【請求項１１】
前記端末装置は、移動通信端末装置であり、
前記ユーザコンテンツは、モバイルサイズに適用されるように生成されるモバイルコンテンツであることを特徴とする請求項５に記載のＲＳＳ基盤のコンテンツ抽出サーバ。
【請求項１２】
前記ユーザコンテンツ、前記ＲＳＳ収集器により収集されたＲＳＳフィード、及びＲＳＳフィードから抽出されたタグ原文のうち、少なくとも一つを格納するデータベースをさらに備えることを特徴とする請求項５に記載のＲＳＳ基盤のコンテンツ抽出サーバ。
【請求項１３】
前記コンテンツ変換器は、
新しい大きさ及びデータ形式のユーザコンテンツが必要な場合に、前記データベースに格納された前記ＲＳＳフィード原文及び前記タグ原文のうち、少なくとも一つを読み込んで新しい大きさ及びデータ形式に変換して、前記データベースに再格納することを特徴とする請求項１２に記載のＲＳＳ基盤のコンテンツ抽出サーバ。
【請求項１４】
前記コンテンツ抽出サーバを管理する管理装置をさらに備え、
前記管理装置は、前記管理装置にアクセスするための管理者認証モジュール、コンテンツサーバ／ＲＳＳ管理及び検索のためのコンテンツサーバ／ＲＳＳ抽出モジュール、前記コンテンツ管理のためのコンテンツ抽出モジュール、多数の管理者を制御するための管理者抽出モジュール、及び前記データベースと直接的に接続する接続モジュールを備えることを特徴とする請求項１２に記載のＲＳＳ基盤のコンテンツ抽出サーバ。
【請求項１５】
前記接続モジュールと前記データベースとの間に配置されるウェブアプリケーションサーバをさらに備えることを特徴とする請求項１４に記載のＲＳＳ基盤のコンテンツ抽出サーバ。
【請求項１６】
ＲＳＳ収集器は、
現在まで発表されたすべてのバージョンのＲＳＳ、ＡＴＯＭフォーマットを支援する機能と、各々のＲＳＳチャネルに対して適用フォーマットを設定及び変更する機能と、前記ＲＳＳファイルのすべての要素を格納する機能と、エンクロージャー（Ｅｎｃｌｏｓｕｒｅ）が含まれるＲＳＳファイルである場合に、リンクされたバイナリを格納する機能と、要素の構成に応じて実質的に使用しなければならないＲＳＳパターンを定義する機能、管理者の指定により秒単位にＲＳＳフィードを収集し、負荷を最小化する機能のうち、少なくとも一つの機能を備えることを特徴とする請求項５に記載のＲＳＳ基盤のコンテンツ抽出サーバ。
【請求項１７】
コンテンツ収集器は、
前記ＲＳＳフィードにあるＨｔｍｌ原文内の有効コンテンツを抽出して格納する機能と、コンテンツ収集が自動収集されるようにパターン適用を細分化する機能と、テキスト修正が可能な基本コンテンツサーバパターン、チャネル別パターン、コンテンツ別パターンに細分化する機能と、広告性リソースをフィルタリングする機能と、パターン適用後にプレビューする機能と、各種ＡＰＩを提供する機能と、Ｈｔｍｌ原文のファイルフォーマットを指定して抽出できるフィルタリング機能と、前記フィルタリングされたファイルを格納する機能と、有効コンテンツの格納時に原文の順序と同じくコンテンツを羅列する機能と、チャネルのアップデート失敗時に復元する機能と、統計機能と、その他の機能とのうち、少なくとも一つを含むことを特徴とする請求項５に記載のＲＳＳ基盤のコンテンツ抽出サーバ。
【請求項１８】
ＲＳＳフィードで作成されるアップデートコンテンツを収集する第１ステップと、
前記アップデートコンテンツのうち、タグを部分的に抽出する第２ステップと、
前記抽出されたタグが送信される端末装置に適用できるように、大きさ及びデータ形式のうち、少なくとも一つをユーザコンテンツに変換する第３ステップと、を含むことを特徴とするＲＳＳ基盤のコンテンツ抽出方法。
【請求項１９】
前記第２ステップは、
前記アップデートコンテンツを前記ＲＳＳフィード内にディスクリプションフィールドが含まれて前記ディスクリプションフィールドを前記抽出されるタグとして決定する第１コンテンツパターンと、
前記アップデートコンテンツ内のタイトルの位置を基準に、前記タグを抽出する第２コンテンツパターンと、
前記アップデートコンテンツ内の各タグを予め定めた基準に応じて点数を付与し、一定の数値以上の前記点数を獲得するタグを抽出する第３コンテンツパターンと、
前記アップデートコンテンツ内の一定部分をドラッグして、直接的にタグを抽出する第４コンテンツパターンと、に応じて分析することを特徴とする請求項１８に記載のＲＳＳ基盤のコンテンツ抽出方法。
【請求項２０】
前記ＲＳＳフィードを収集する時期を決定するステップをさらに含むことを特徴とする請求項１８に記載のＲＳＳ基盤のコンテンツ抽出方法。
【請求項２１】
前記ユーザコンテンツを格納するステップをさらに含むことを特徴とする請求項１８に記載のＲＳＳ基盤のコンテンツ抽出方法。
【請求項２２】
コンテンツサーバから供給されるＲＳＳフィードで作成されたアップデートコンテンツを収集して分析及び分類して、大きさ及びデータ形式のうち、少なくとも一つを変換してユーザコンテンツを生成するコンテンツ抽出サーバと、
前記コンテンツ抽出サーバを管理する管理装置と、を具備し、
前記管理装置は、管理者のための管理者モジュール、コンテンツサーバ管理のためのＣＰ管理モジュール、ＲＳＳチャネル及びコンテンツ管理モジュール、掲示板／ヒストリーモジュールを備えて構成されることを特徴とするＲＳＳ基盤のコンテンツ抽出サーバの管理装置。
【請求項２３】
前記管理者モジュールは、
管理者追加、管理者承認、管理者入力テーブル、管理者権限項目を有することを特徴とする請求項２２に記載のＲＳＳ基盤のコンテンツ抽出サーバの管理装置。
【請求項２４】
前記管理者入力テーブルは、
ＩＤ、パスワード、名前（Ｎａｍｅ）、所属及びグループ、電話番号、携帯電話番号、電子メール、等級、登録日時、脱退日時、承認日時項目を含み、ＩＤ、パスワード、名前（Ｎａｍｅ）、所属及びグループ、電話番号及び電子メール番号は、必須項目として指定することを特徴とする請求項２３に記載のＲＳＳ基盤のコンテンツ抽出サーバの管理装置。
【請求項２５】
前記管理者権限項目は、
アイデンティティー管理、グループ管理、ＣＰ管理、ＲＳＳチャネル管理、コンテンツ管理、カテゴリー管理、パターン、掲示板、ヒストリー、権限管理項目を含むことを特徴とする請求項２３に記載のＲＳＳ基盤のコンテンツ抽出サーバの管理装置。
【請求項２６】
前記ＣＰ管理モジュールは、
ＣＰ追加、ＣＰ承認、ＣＰ入力テーブル、ＣＰ権限、ＣＰリスト、サーチ（Ｓｅａｒｃｈ）項目を含むことを特徴とする請求項２２に記載のＲＳＳ基盤のコンテンツ抽出サーバの管理装置。
【請求項２７】
前記ＣＰ入力テーブルは、
ＣＰアカウント、パスワード、会社名、代表電話、国籍、会社アドレス、コンテンツ名、ウェブサイト、接続名、担当者連絡先、担当者携帯電話番号、電子メール、ディスクリプション、登録日、満了日、承認日、現在状態の項目を含んで構成され、ＣＰアカウント、パスワード、会社名、代表電話、国籍、会社アドレス、コンテンツ名、ウェブサイト、接続名、担当者連絡先及び電子メールは、必須項目であり、管理者である場合に、ＣＰアカウント、パスワード、会社名及び代表電話が前記必須項目であることを特徴とする請求項２６に記載のＲＳＳ基盤のコンテンツ抽出サーバの管理装置。
【請求項２８】
ＲＳＳチャネル／コンテンツ管理モジュールは、
ＲＳＳチャネル管理、ＲＳＳチャネル入力テーブル、ＲＳＳチャネルリスト、ＲＳＳチャネル状態、コンテンツ入力テーブル、コンテンツリスト、サーチ、自動バックアップ項目を含むことを特徴とする請求項２２に記載のＲＳＳ基盤のコンテンツ抽出サーバの管理装置。
【請求項２９】
前記ＲＳＳチャネル管理項目は、
登録、登録時のプレビュー、パターン適用及び変更、周期設定及び変更、修正、削除、管理者又はＣＰが登録及び修正したチャネルを承認要請する承認、前記管理者及びＣＰがチャネル及びコンテンツの供給を一時中断できるようにする一時中断、アップデートを秒単位に設定が可能なアップデート周期設定、障害発生時又は有効でないコンテンツの収集時に警告できる警告の機能を含むことを特徴とする請求項２８に記載のＲＳＳ基盤のコンテンツ抽出サーバの管理装置。
【請求項３０】
前記ＲＳＳチャネル入力テーブルは、
カテゴリー、チャネル名、ＵＲＬ、ＣＰ名、アップデート周期、現在状態、登録日時、承認日時、中断日時、最終アップデート完了日時項目を含むことを特徴とする請求項２８に記載のＲＳＳ基盤のコンテンツ抽出サーバの管理装置。
【請求項３１】
前記ＲＳＳチャネル状態は、
自動的になり、現在収集、ウェブスクラップ、データベース格納状態を有するアップデート状態、自動又は管理者設定などによりチャネルサービスが進行中であるサービス状態、管理者が別途に設定する一時中断及びテスト状態のうち、少なくとも一つを含むことを特徴とする請求項２８に記載のＲＳＳ基盤のコンテンツ抽出サーバの管理装置。
【請求項３２】
前記コンテンツ入力テーブルは、
カテゴリー、チャネル名、ＵＲＬ、ＣＰ名、現在状態、最終アップデート完了日時及び有効コンテンツ項目を含むことを特徴とする請求項２８に記載のＲＳＳ基盤のコンテンツ抽出サーバの管理装置。
【請求項３３】
掲示板／ヒストリーモジュールは、
管理者又は運営者がデータベースに変更を加える行為をする場合に、コメントを書くことができる運営日誌であり、入力テーブルにＩＤ、名前、題目、ディスクリプション、登録日時、分類及びＨｉｔ項目が含まれる掲示板と、
前記管理者又は運営者及びＣＰがコンテンツ抽出サーバを利用しつつ発生するすべてのログを掲示板の形式で見せ、入力テーブルがＩＤ、行為、クエリー値及びログ日時項目を含むヒストリーと、を含むことを特徴とする請求項２２に記載のＲＳＳ基盤のコンテンツ抽出サーバの管理装置。
【発明の詳細な説明】
【技術分野】
【０００１】
本発明は、ＲＳＳ基盤のコンテンツ抽出サーバ、その運用方法及びコンテンツ抽出サーバの管理装置、並びにこれを利用したコンテンツアップデートシステムに関し、特に、ＲＳＳアプリケーションを利用して新しくアップデート情報のみを提供するように制御するコンテンツ抽出サーバ及びその運用方法、このようなコンテンツ抽出サーバを含んで移動通信端末機の待機画面上にアップデート情報を表示できるＲＳＳ基盤のコンテンツ抽出サーバ、その運用方法及びコンテンツ抽出サーバの管理装置、並びにこれを利用したコンテンツアップデートシステムに関する。
【背景技術】
【０００２】
最近、インターネットの飛躍的な発展を通じて、多くの情報が共有されつつある。これにより、現在は、地球の反対側で発生する事件までインターネットの途方もない拡張性により、リアルタイムで確認できる時代が渡来した。このようなインターネットの普及と共にインターネット上に情報及びコンテンツを提供することによって、新たな利潤を生み出す多様なコンテンツ提供会社が登場している。このような多様なコンテンツ提供会社が提供する多様な情報及びコンテンツは、時々刻々新しい情報にアップデートされており、利用者は、新しくアップデート情報を獲得するために、コンテンツ提供会社のサイトに接続して情報を検索している。ここで、利用者は、新しくアップデート情報のみを獲得したいにも関わらず、コンテンツ提供会社から提供されるアップデート情報及び以前情報を全てダウンロードして見るようになる。このような利用者の欲求を満たすために、ＲＳＳアプリケーションが登場するようになった。ＲＳＳとは、ＲＤＦ  Ｓｉｔｅ  Ｓｕｍｍａｒｙ、Ｒｉｃｈ  Ｓｉｔｅ  Ｓｕｍｍａｒｙなどの略称であって、ニュースやブログのように、コンテンツのアップデートが頻繁なウェブサイトにおいて、アップデート情報を容易にユーザに提供するために、ＸＭＬに基づいて作られたデータの形式である。このＲＳＳ方式は、サイトが提供するアドレスを自身のＲＳＳアプリケーションに登録すると、アップデート情報を検索するためにサイトに毎度訪問する必要なしでＲＳＳアプリケーションがサイトからアップデート情報を確認しダウンロードすることができる。現在、ＲＳＳ方式は、国際標準として位置付けられており、このようなＲＳＳ方式を利用した多様な応用事業の創出が期待されている。これにより、ＲＳＳ方式を適用した多様なサービスシステム及び方法の開発が切実に必要なのが現状である。
【発明の開示】
【発明が解決しようとする課題】
【０００３】
本発明は、上記の問題を解決するためのものであって、その目的は、ＲＳＳフィードを提供するコンテンツサーバからＲＳＳフィードを収集し、収集されたＲＳＳフィードを各移動通信端末装置が有するデータ形式及び大きさに合うように加工して、各移動通信端末装置の待機画面に提供することによって、移動通信ユーザの望む時期に所望のアップデートコンテンツを手軽に確認することができるＲＳＳ基盤移動通信端末装置の待機画面提供システムを提供することにある。
【０００４】
また、本発明の目的は、本発明の実施の形態によると、ＲＳＳフィードで作成されるアップデートコンテンツを提供するコンテンツサーバ、コンテンツサーバから収集されるアップデートコンテンツを分析及び分類し、必要なタグを抽出して受信される端末装置に適用される大きさ及びデータ形式に変換するコンテンツ抽出サーバ、変換されたコンテンツを格納するデータベース、データベースから変換されたコンテンツを指定された端末装置に送信するアップデートコンテンツサーバを具備して、多種多様な端末装置に適応的にアップデートコンテンツを提供できるようにするＲＳＳ基盤移動通信端末装置の待機画面提供システムを提供することにある。
【０００５】
また、本発明のさらに他の目的は、本発明の実施の形態によると、ＲＳＳフィードで作成されるアップデートコンテンツを端末装置が移動通信端末装置、無線端末装置、ユビキタスネットワーク端末装置など通信チャネルを形成できる多様な端末装置に適用されうる大きさ及びデータ形式に変換することによって、インターネットに接続するコンピュータ端末機だけでなく、移動が可能な移動端末装置に適切なアップデートコンテンツを提供できるようにするＲＳＳ基盤移動通信端末装置の待機画面提供システムを提供することにある。
【０００６】
また、本発明のさらに他の目的は、本発明の実施の形態によると、コンテンツ抽出サーバがＲＳＳフィードで作成されるアップデートコンテンツを収集し、収集されたアップデートコンテンツから内容を抽出して、受信される端末装置の特性に応じて抽出されたコンテンツの大きさ及びデータ形式を変換して提供することによって、インターネットなどのネットワーク上のコンテンツサーバから提供するアップデート情報を効率的に移動通信などの異種の通信網ユーザに提供できるＲＳＳ基盤のコンテンツ抽出サーバ及び方法を提供することにある。
【０００７】
また、本発明のさらに他の目的は、本発明の実施の形態によると、収集されたコンテンツを、ディスクリプションフィールド内に内容が含まれた第１コンテンツパターン、タイトルの位置を基準に内容抽出が可能な第２コンテンツパターン、多様なタグに一定の点数を付与し、一定の点数以上を獲得したタグから内容抽出が可能な第３コンテンツパターン、及び収集されたコンテンツを直接的にドラッグしてタグを抽出する第４コンテンツパターンに区分することによって、アップデートコンテンツの分類及び分析において、より普遍化し一般化した形式に従った整理によりアップデートコンテンツの収集及び分析ステップを簡素化及び専門化できるＲＳＳ基盤のコンテンツ抽出サーバ及び方法を提供することにある。
【０００８】
また、本発明のさらに他の目的は、本発明の実施の形態によると、コンテンツ抽出サーバを管理する管理装置を具備して、コンテンツ抽出サーバに管理者及びアップデートされるコンテンツを提供するコンテンツサーバなどを登録し、登録された以後に、修正及び削除などを可能にするＲＳＳ基盤のコンテンツ抽出サーバの管理装置を提供することにある。
【課題を解決するための手段】
【０００９】
上記の目的を達成すべく、本発明の実施の形態によるＲＳＳ基盤移動通信端末装置の待機画面提供システムは、ＲＳＳフィードで作成されるアップデートコンテンツを提供する少なくとも一つのコンテンツサーバと、前記アップデートコンテンツを収集し分析及び分類し、大きさ及びデータ形式のうち、少なくとも一つを変換してモバイルコンテンツを生成するコンテンツ抽出サーバと、前記変換コンテンツを格納するデータベースと、前記データベースに格納されたモバイルコンテンツを移動通信端末装置に提供する待機画面提供サーバと、を備えて構成される。ここで、前記コンテンツ抽出サーバは、ＲＳＳフィードで作成されるアップデートコンテンツを収集するＲＳＳ収集器と、前記アップデートコンテンツのうち、タグを部分的に抽出するコンテンツ収集器と、及び前記抽出されたタグが送信される端末装置に適用できるように大きさ及びデータ形式のうち、少なくとも一つを変換してユーザコンテンツを生成するコンテンツ変換器と、を備えることを特徴とする。
【００１０】
本発明の実施の形態によるＲＳＳ基盤のコンテンツ抽出サーバは、ＲＳＳフィードで作成されるアップデートコンテンツを収集するＲＳＳ収集器と、前記アップデートコンテンツのうち、タグを部分的に抽出するコンテンツ収集器と、前記抽出されたタグが送信される端末装置に適用できるように、大きさ及びデータ形式のうち、少なくとも一つを変換してユーザコンテンツを生成するコンテンツ変換器と、を備えて構成されることを特徴とする。
【００１１】
本発明の実施の形態によるＲＳＳ基盤のコンテンツ抽出方法は、ＲＳＳフィードで作成されるアップデートコンテンツを収集する第１ステップと、前記アップデートコンテンツのうち、タグを部分的に抽出する第２ステップと、前記抽出されたタグが送信される端末装置に適用できるように、大きさ及びデータ形式のうち、少なくとも一つをユーザコンテンツに変換する第３ステップと、を含むことを特徴とする。
【００１２】
本発明の実施の形態によるＲＳＳ基盤のコンテンツ抽出サーバの管理装置は、コンテンツサーバから供給されるＲＳＳフィードで作成されたアップデートコンテンツを収集して分析及び分類して、大きさ及びデータ形式のうち、少なくとも一つを変換してユーザコンテンツを生成するコンテンツ抽出サーバと、前記コンテンツ抽出サーバを管理する管理装置と、を具備し、前記管理装置は、管理者のための管理者モジュール、コンテンツサーバ管理のためのＣＰ管理モジュール、ＲＳＳチャネル及びコンテンツ管理モジュール、掲示板／ヒストリーモジュールを備えて構成されることを特徴とする。
【発明の効果】
【００１３】
本発明の実施の形態によるＲＳＳ基盤移動通信端末装置の待機画面提供システムによると、コンテンツサーバからＲＳＳフィードを収集し、収集されたＲＳＳフィードを各移動通信端末装置が有するデータ形式及び大きさに合うように加工して各移動通信端末装置の待機画面に提供することによって、移動通信ユーザの望む時期に手軽にアップデートコンテンツを確認することができ、したがって、より多くの情報をより速く、かつ手軽に移動通信ユーザに提供して顧客満足度を改善できる。
【００１４】
また、本発明の実施の形態によるＲＳＳ基盤のコンテンツ抽出サーバ及び方法によると、コンテンツ抽出サーバがＲＳＳフィードで作成されるアップデートコンテンツを収集し、アップデートコンテンツから内容を抽出し、受信される端末装置の特性に応じて抽出されたコンテンツの大きさ及びデータ形式を変換して提供することによって、インターネットなどのネットワーク上のコンテンツサーバのアップデート情報を効率的に移動通信などの異種の通信網ユーザに提供できる。
【００１５】
また、本発明の実施の形態によるＲＳＳ基盤のコンテンツ抽出サーバ及び方法によると、収集されたコンテンツを、ディスクリプションフィールド内に内容が含まれた第１コンテンツパターン、タイトルの位置を基準に内容抽出が可能な第２コンテンツパターン、多様なタグに一定の点数を付与し、一定の点数以上を獲得したタグから内容抽出が可能な第３コンテンツパターン、及び収集されたコンテンツを直接的にドラッグしてタグを抽出する第４コンテンツパターンに区分することによって、アップデートコンテンツを分類及び分析するにおいてより普遍化し一般化した形式に従って整理することによって、アップデートコンテンツの収集及び分析ステップを簡素化し専門化できる。
【００１６】
本発明の実施の形態によるＲＳＳ基盤のコンテンツ抽出サーバの管理装置は、コンテンツ抽出サーバを管理する管理装置を具備して、コンテンツ抽出サーバに管理者及びアップデートされるコンテンツを提供するコンテンツサーバなどを登録し、登録された以後に、修正及び削除などが可能である。
【００１７】
また、本発明の実施の形態によるＲＳＳ基盤の移動通信端末機の待機画面提供システムによると、ＲＳＳフィードで作成されるアップデートコンテンツを提供するコンテンツサーバ、コンテンツサーバから収集されるアップデートコンテンツを分析及び分類し必要なタグを抽出して、受信される端末装置に適用される大きさ及びデータ形式に変換するコンテンツ抽出サーバ、変換されたコンテンツを格納するデータベース、データベースから変換されたコンテンツを多種多様な端末装置に送信するアップデートコンテンツサーバを具備して、多種多様な端末装置に適応的にアップデートコンテンツを提供できる。
【００１８】
本発明の実施の形態によるＲＳＳ基盤の移動通信端末機の待機画面提供システムによると、ＲＳＳフィードで作成されるアップデートコンテンツを、端末装置が移動通信端末装置、無線端末装置、ユビキタスネットワーク端末装置など通信チャネルを形成できる多様な端末装置に適用されうる大きさ及びデータ形式に変換することによって、インターネットに接続するコンピュータ端末機だけでなく、移動可能な移動端末装置に適切なアップデートコンテンツを提供することができる。
【発明を実施するための最良の形態】
【００１９】
上述した目的及びその他の目的、並びに本発明の特徴及び利点は、添付された図面と関連した以下の詳細な説明によりさらに明確になるはずである。以下、添付された図面を参照して、本発明の実施の形態を詳細に説明すると、以下のとおりである。
【００２０】
図１は、本発明の実施の形態によるＲＳＳ基盤移動通信端末装置の待機画面提供システムを示した図である。
【００２１】
ＲＳＳ基盤移動通信端末装置の待機画面提供システムは、少なくとも一つのコンテンツサーバ９９、コンテンツ抽出サーバ１００、データベース１５０、待機画面提供サーバ３１０を備えて構成され、好ましくは、コンテンツ抽出サーバの管理装置２００、移動通信端末装置ユーザ情報サーバ３２０及びメッセージサーバ３３０をさらに備えて構成される。
【００２２】
コンテンツサーバ９９、コンテンツ抽出サーバ１００、データベース１５０、コンテンツ抽出サーバの管理装置２００は、図３〜図２４を参照して後述する。一方、各構成要素は、図示のように各々別途に具現するか、又は単一システムに統合して具現できる。
【００２３】
待機画面提供サーバ３１０は、各機能が最適の関連性を有するために、無線インターネットプッシュ及びプルメッセージ管理ソリューションを提供するようになり、その構成は、待機画面制御システム、コンテンツ管理サーバ、ＰＤＭサーバ、ＣＲＭサーバ、広告サーバ、プルデータコントローラなどを備えてなることができる。
【００２４】
待機画面制御システムは、データビューアー（Ｄａｔａ  Ｖｉｅｗｅｒ）、コンフィギュレーションマネジャー（Ｃｏｎｆｉｇｕｒａｔｉｏｎ  Ｍａｎａｇｅｒ）、ディスプレイマネジャー（Ｄｉｓｐｌａｙ  Ｍａｎａｇｅｒ）、イベントハンドラー（Ｅｖｅｎｔ  Ｈａｎｄｌｅｒ）、プッシュデータマネジャー（Ｐｕｓｈ  Ｄａｔａ  Ｍａｎａｇｅｒ）、プルデータマネジャー（Ｐｕｌｌ  Ｄａｔａ  Ｍａｎａｇｅｒ）、データインタフェースモジュール（Ｄａｔａ  Ｉｎｔｅｒｆａｃｅ  ｍｏｄｕｌｅ）、アドミニストレイションマネジャー（Ａｄｍｉｎｉｓｔｒａｔｉｏｎ  Ｍａｎａｇｅｒ）、スケジューラ（Ｓｃｈｅｄｕｌｅｒ）、プッシュエージェント（Ｐｕｓｈ  Ａｇｅｎｔ）、プルエージェント（Ｐｕｌｌ  Ａｇｅｎｔ）、ユーザプロファイルシミュレーター（Ｕｓｅｒ  Ｐｒｏｆｉｌｅ  Ｓｉｍｕｌａｔｏｒ）、ユーザプロファイルマネジャー（Ｕｓｅｒ  Ｐｒｏｆｉｌｅ  Ｍａｎａｇｅｒ）、データフォーマッター及びユーティリティ（Ｄａｔａ  Ｆｏｒｍａｔｔｅｒ  ＆  Ｕｔｉｌｉｔｙ）、インフォメーションマッチメーカー（Ｉｎｆｏｒｍａｔｉｏｎ  Ｍａｔｃｈ  Ｍａｋｅｒ）、コンテンツサーバゲートウェイ（Ｃｏｎｔｅｎｔｓ  Ｓｅｒｖｅｒ  Ｇａｔｅｗａｙ）、データベース（Ｄａｔａｂａｓｅ）を含んでなる。
【００２５】
本発明の実施の形態によるＲＳＳ基盤移動通信端末装置の待機画面提供システムにおける待機画面提供サーバ３１０、移動通信端末装置ユーザ情報サーバ３２０及びメッセージサーバ３３０などは、本出願人が出願した大韓民国特許出願番号２００４−７００６２７８に記載された待機画面提供サーバ、移動通信端末装置ユーザ情報サーバ及びメッセージサーバと同一又は類似した構成であるから、詳細な説明は省略する。ただし、本発明の実施の形態による待機画面提供システムは、移動通信端末装置にイメージなどを送信するためのメッセージサーバ３３０が短文メッセージサーバ以外にマルチメディアメッセージを送信できるマルチメディアメッセージサーバとしての機能を含んで行うことができる。
【００２６】
本発明の実施の形態によるＲＳＳ基盤の移動通信端末装置の待機画面提供システムは、移動通信端末装置の待機画面にユーザが要求する情報のうち、新しくアップデートされた情報のみをユーザが指定した時期に表示し、アップデート情報を獲得するために、別途のサーフィン又は検索過程を除去することによって、より多くの情報をより速くかつ簡便にユーザに提供できるようになって、顧客満足度を改善できる。
【００２７】
一方、図２は、本発明の実施の形態によるＲＳＳ基盤のコンテンツ抽出サーバを示す構成図であり、図３は、本発明の実施の形態によるＲＳＳ基盤のコンテンツ抽出サーバ内の各構成間に送信される信号の流れを示す図である。ＲＳＳ基盤のコンテンツ抽出サーバ（Ｃｏｎｔｅｎｔｓ  Ｍａｎａｇｅｍｅｎｔ  Ｓｅｒｖｅｒ：ＣＭＳ）１００は、ＲＳＳ収集器（Ａｇｇｒｅｇａｔｏｒ）１１０、コンテンツ収集器（Ａｇｇｒｅｇａｔｏｒ）１３０、コンテンツ変換器（Ｔｒａｎｓｃｏｄｅｒ）１４０を備えて構成され、好ましくは、アップデートスケジューラ（Ｓｃｈｅｄｕｌｅｒ）１２０、データベース１５０、表示部１６０をさらに備えて構成できる。
【００２８】
ＲＳＳ収集器１１０は、少なくとも一つのコンテンツサーバから提供され、ＲＳＳフィードを含むアップデートコンテンツＮｅｗ＿ｃｏｎを収集する。アップデートコンテンツＮｅｗ＿ｃｏｎは、ＲＳＳフィード（Ｆｅｅｄ）提供及びＲＳＳ支援ＸＭＬを基盤に製作されなければならない。アップデートコンテンツＮｅｗ＿ｃｏｎが、ＲＳＳ支援が可能な場合に、ＲＳＳ収集器１１０は、コンテンツサーバに接続してコンテンツサーバから提供されるＲＳＳ支援可能なＲＳＳフィードを含むアップデートコンテンツＮｅｗ＿ｃｏｎを収集するようになる。このために、ＲＳＳ収集器１１０は、コンテンツサーバと通信チャネルを形成するようになる。通信チャネルは、ネットワークで接続するインターネット網、無線ランで接続した無線網、ユビキタスで接続したユビキタス網に対して適応的に形成されうる。ＲＳＳ収集器１１０は、コンテンツサーバに同期されるように製作し、コンテンツサーバが製作して直接配布されるか、又は別途の格納装置に格納して配布できる。また、ＲＳＳ収集器１１０は、ＲＳＳフィードを含むアップデートコンテンツＮｅｗ＿ｃｏｎを収集し、適切な形態に分類した後、モバイルコンテンツＭｏｂｉｌ＿ｃｏｎ１，Ｍｏｂｉｌ＿ｃｏｎ２，．．．に変換するために、現在まで発表されたすべてのバージョンのＲＳＳ、ＡＴＯＭフォーマットを支援できる。ＲＳＳ収集器１１０は、それぞれのＲＳＳチャネルに対して適用フォーマットを設定及び変更する機能を提供し、コンテンツサーバが提供するＲＳＳファイルのすべてのエレメント（Ｅｌｅｍｅｎｔ）を格納することができ、エンクロージャー（Ｅｎｃｌｏｓｕｒｅ）が含まれるＲＳＳファイルである場合に、リンクされたバイナリを格納する機能を提供する。また、ＲＳＳ収集器１１０は、エレメントの構成に応じて実質的に使用しなければならないＲＳＳパターンを定義し、コンテンツ抽出サーバ管理者の指定により秒単位にＲＳＳフィードを収集することができ、負荷を最小化するように設計される。
【００２９】
コンテンツ収集器１３０は、収集されたアップデートコンテンツＮｅｗ＿ｃｏｎを複数のコンテンツパターンＰａｔ＿ｃｏｎ１，Ｐａｔ＿ｃｏｎ２，．．．に分類認識し、認識されたコンテンツパターンＰａｔ＿ｃｏｎ１，Ｐａｔ＿ｃｏｎ２，．．．から受信される端末装置の要求事項及び特性に応じて、コンテンツパターンＰａｔ＿ｃｏｎ１，Ｐａｔ＿ｃｏｎ２，．．．に含まれたタグを部分的に抽出して格納する。タグは、アップデートされた内容を含み、題目、内容などのみから構成されることもできる。内容は、イメージ、動画、オーディオ、又はテキストなどを含むことができる。コンテンツ収集器１３０は、収集されたＲＳＳフィードからコンテンツを抽出する間に、以下のような事項を満たすことが好ましい。すなわち、コンテンツ収集器１３０は、ＲＳＳフィードにあるＨｔｍｌ原文内の有効コンテンツを抽出して、データベース１５０に格納可能である。格納項目には、Ｈｔｍｌ原文、有効コンテンツ及びＲＳＳファイルなどが含まれることができる。コンテンツ収集器１３０は、パターンをより細分化して、パターン適用による運営上の問題が発生しないようにし、パターンを最も単純かつ容易に適用できるようにし、受動パターン適用、すなわち、管理者がＲＳＳフィードから直接的にドラッグしてコンテンツを収集するパターンが発生しないようにすることによって、コンテンツ収集が自動収集されるようにする機能を提供できる。パターンは、基本コンテンツサーバパターン、チャネル別パターン、コンテンツ別パターンなどを含むことができ、このパターンは、テキストの修正が可能である。コンテンツ収集器１３０は、広告性リソース（Ｒｅｓｏｕｒｃｅ）をフィルタリングするオプション機能が追加されることができ、オプションと別途に自動的に広告性リソースをフィルタリングする機能を提供し、パターン適用後にプレビュー機能、最大モジュール化及び最適連動のための各種ＡＰＩの提供機能を有することができる。コンテンツ収集器１３０においてウェブスクラップ（Ｗｅｂ  Ｓｃｒａｐｐｉｎｇ）の成功率は、自動の場合に９０％以上であることが好ましい。コンテンツ収集器１３０は、Ｈｔｍｌ原文のファイルフォーマット、例えば、ｊｐｇ、ｇｉｆ、Ｔｅｘｔなどを指定して抽出できるフィルタリング機能及びフィルタリングされたファイルをデータベース１５０に格納する機能、有効コンテンツの格納時に原文の順序と同様にコンテンツ羅列機能、チャネルアップデートの失敗時の復元機能を有することができる。
【００３０】
また、コンテンツ収集器１３０は、統計機能及びその他の機能を有する。統計機能は、統計検索分類機能と統計項目とに区分される。統計検索分類機能は、統計を期間別、コンテンツサーバ別、チャネル別に統計できるように検索分類基準を有するものであり、統計項目は、総コンテンツサーバ、チャネル、コンテンツ数を表す第１項目と、コンテンツ収集の成功及び失敗を表す第２項目、及びその他の第３項目に区分され得る。その他の機能は、多国語支援機能、独立したプラットフォーム、システム拡張可能機能、安定性と性能を保障するシステムパフォーマンス（Ｓｙｓｔｅｍ  Ｐｅｒｆｏｒｍａｎｃｅ）を支援する機能である。
【００３１】
このような、コンテンツ収集器１３０を利用してパターンを抽出し、分析及び分類する過程について、図４を参照して説明する。図４に示すように、コンテンツ収集器１３０は、ＲＳＳ収集器１１０によってコンテンツサーバから収集されたアップデートコンテンツＮｅｗ＿ｃｏｎのＲＳＳフィードを分析する（Ｓ１）。
【００３２】
ステップＳ１において分析されたコンテンツ内にディスクリプションフィールド（Ｄｅｓｃｒｉｐｔｉｏｎ  Ｆｉｅｌｄ）が存在するか否かを検査する（Ｓ２）。
【００３３】
ステップＳ２においてディスクリプションフィールドが存在する場合に、アップデートコンテンツＮｅｗ＿ｃｏｎを提供するコンテンツサーバからパーマリンク（Ｐｅｒｍａｌｉｎｋ）を介してＨｔｍｌ原文内容を収集する（Ｓ３）。
【００３４】
ステップＳ３において収集されたＨｔｍｌ原文中にＲＳＳディスクリプションフィールドと同じ内容があるか否かを検査する（Ｓ４）。
【００３５】
ステップＳ４において収集されたＨｔｍｌ原文中にＲＳＳディスクリプションフィールドと同じ内容が存在する場合に、ディスクリプションフィールドの内容を第１コンテンツパターンＰａｔ＿ｃｏｎ１に分類する（Ｓ５）。
【００３６】
ステップＳ２においてディスクリプションフィールドが存在しない場合に、ＲＳＳフィードがＲＳＳタイトル（Ｔｉｔｌｅ）フィールドを含んでいるか否かを検査する（Ｓ６）。
【００３７】
ステップＳ６においてＲＳＳフィードがＲＳＳタイトルを含む場合に、Ｈｔｍｌ原文にＲＳＳタイトルが含まれているか否かを検査する（Ｓ７）。
【００３８】
ステップＳ７においてＨｔｍｌ原文がＲＳＳタイトルを含む場合に、ＲＳＳタイトルの位置を基準にコンテンツを抽出し、抽出されたコンテンツを第２コンテンツパターンＰａｔ＿ｃｏｎ２に分類する（Ｓ８）。
【００３９】
ステップＳ４において収集されたＨｔｍｌ原文中にＲＳＳディスクリプションフィールドと同じ内容がない場合に、ＲＳＳディスクリプションフィールド内にＨｔｍｌタグが入っているか否かを検査する（Ｓ９）。
【００４０】
ステップＳ９においてＲＳＳディスクリプションフィールド内にＨｔｍｌタグが入っている場合に、Ｈｔｍｌ原文からＨｔｍｌタグを除去し（Ｓ１０）、Ｈｔｍｌ原文にＲＳＳディスクリプションフィールドの内容がある場合（Ｓ１１）に、ステップＳ５に分岐する。
【００４１】
ステップＳ６及びステップＳ７においてそれぞれＲＳＳタイトルフィールドがない場合に、タグスコアリングモジュール（Ｔａｇ  Ｓｃｏｒｉｎｇ  Ｍｏｄｕｌｅ）を利用してタグ値をスコアリングする（Ｓ１２）。
【００４２】
タグスコアリングモジュールは、Ｈｔｍｌ原文に含まれた各タグの特性に関して予め定義された様々な条件に応じて点数を付けることによって、各タグに該当する点数を付けるようになる。
【００４３】
次に、タグスコアリングモジュールによって計算された点数が一定の数値を超えているか否かを検査する（Ｓ１３）。
【００４４】
ステップＳ１３においてタグの計算された点数が一定の数値を超える場合に、該当タグをコンテンツと定義し、第３コンテンツパターンＰａｔ＿ｃｏｎ３に分類する（Ｓ１４）。
【００４５】
ステップＳ１３においてタグの計算された点数が一定の数値を超えない場合に、コンテンツ抽出サーバ管理者が直接的にパターンを定義して、第４コンテンツパターンＰａｔ＿ｃｏｎ４に分類する（Ｓ１５）。
【００４６】
第１〜第４コンテンツパターンＰａｔ＿ｃｏｎ１，Ｐａｔ＿ｃｏｎ２，Ｐａｔ＿ｃｏｎ３，Ｐａｔ＿ｃｏｎ４についての説明は、図６〜図９を参照して詳細に後述する。
【００４７】
コンテンツ変換器１４０は、コンテンツ収集器１３０により分類された各コンテンツパターンＰａｔ＿ｃｏｎ１，Ｐａｔ＿ｃｏｎ２，Ｐａｔ＿ｃｏｎ３，Ｐａｔ＿ｃｏｎ４から抽出されたタグをモバイルコンテンツＭｏｂｉｌ＿ｃｏｎ１，Ｍｏｂｉｌ＿ｃｏｎ２，．．．に変換する。これを具体的に説明すると、モバイルコンテンツＭｏｂｉｌ＿ｃｏｎ１，Ｍｏｂｉｌ＿ｃｏｎ２，．．．は、該当モバイルの特性に応じてそれぞれ異なるモバイルコンテンツＭｏｂｉｌ＿ｃｏｎ１，Ｍｏｂｉｌ＿ｃｏｎ２，．．．形式を要求するようになる。例えば、移動通信端末装置の仕様に応じる液晶の大きさ、メモリの種類、互換特性、ディスプレイ能力等、端末装置の多様な特性に応じて移動通信端末装置が受信しうるモバイルコンテンツＭｏｂｉｌ＿ｃｏｎ１，Ｍｏｂｉｌ＿ｃｏｎ２，．．．のデータ様式と大きさ及び量は、それぞれ異なるようになる。このようなそれぞれ異なるモバイルコンテンツＭｏｂｉｌ＿ｃｏｎ１，Ｍｏｂｉｌ＿ｃｏｎ２，．．．の多様性を満たすために、多種多様な移動通信端末装置に各々適用されうるモバイルコンテンツＭｏｂｉｌ＿ｃｏｎ１，Ｍｏｂｉｌ＿ｃｏｎ２，．．．のデータ様式と大きさ及び量に応じるフォーマットを予め獲得し、獲得された情報に応じて第１〜第４コンテンツパターンＰａｔ＿ｃｏｎ１，Ｐａｔ＿ｃｏｎ２，Ｐａｔ＿ｃｏｎ３，Ｐａｔ＿ｃｏｎ４から抽出されたタグを多様なモバイルコンテンツＭｏｂｉｌ＿ｃｏｎ１，Ｍｏｂｉｌ＿ｃｏｎ２，．．．に変換するようになる。変換された多様なモバイルコンテンツＭｏｂｉｌ＿ｃｏｎ１，Ｍｏｂｉｌ＿ｃｏｎ２，．．．は、データベース１５０に格納されうる。一方、コンテンツ変換器１４０は、ユーザ端末機から決まった大きさ及びデータ形式から外れた規格要請が発生したとき、データベース１５０に格納されたアップデートコンテンツＮｅｗ＿ｃｏｎを読み出して、新しい大きさ及びデータ形式に合うようにモバイルコンテンツを再生産できる。このために、コンテンツ変換器１４０は、コンテンツ収集器１３０が収集したアップデートコンテンツＮｅｗ＿ｃｏｎを別途の変換無しで原本そのまま又はアップデートコンテンツＮｅｗ＿ｃｏｎから抽出したタグをタグ原本そのままデータベース１５０に格納することができる。
【００４８】
図５は、コンテンツ変換器１４０のコンテンツ認識と分類、分析変換過程を示すフローチャートである。コンテンツ変換方法は、コンテンツ変換器１４０がアップデートコンテンツＮｅｗ＿ｃｏｎを要求するユーザ端末機の要請規格が予め決まった大きさ及びデータ形式の規格内に存在しているか否かを検査する（Ｓ２１）。
【００４９】
ステップＳ２１において、コンテンツ収集器１３０は、ユーザ端末機の要請規格が予め決まった規格内に存在する場合に、追加的な作業が発生しなく、ユーザ端末機に情報を提供するコンテンツ提供サーバがユーザの要請したコンテンツ、すなわち、データベース１５０に格納された該当規格のモバイルコンテンツＭｏｂｉｌ＿ｃｏｎをユーザ端末機に送信する（Ｓ２２）。
【００５０】
ステップＳ２１において、ユーザ端末機の要請規格が予め決まった規格内に存在しない場合に、コンテンツ提供サーバは、コンテンツ変換器１４０に新しいユーザ要請規格を提供し、これにより、コンテンツ変換器１４０は、データベース１５０に格納されたアップデートコンテンツＮｅｗ＿ｃｏｎの原本又はタグ原本に基づいて、新しいユーザ要請規格に合うモバイルコンテンツＭｏｂｉｌ＿ｃｏｎを生成する（Ｓ２３）。
【００５１】
次に、生成されたモバイルコンテンツＭｏｂｉｌ＿ｃｏｎをデータベース１５０に格納する（Ｓ２４）。
【００５２】
アップデートスケジューラ１２０は、ＲＳＳ収集器１１０がコンテンツサーバからアップデートコンテンツＮｅｗ＿ｃｏｎを受信する時期を調節する。さらに詳細に説明すると、ＲＳＳ収集器１１０は、アップデートスケジューラ１２０が指定する時期にコンテンツサーバと通信チャネルを形成し、形成された通信チャネルを介してアップデートコンテンツＮｅｗ＿ｃｏｎを収集する。このとき、アップデートコンテンツＮｅｗ＿ｃｏｎをコンテンツサーバから収集する時期は、一定時間を周期とするか、コンテンツサーバにアップデートコンテンツＮｅｗ＿ｃｏｎが生成される場合に収集するか、又は指定された時間、例えば、移動通信端末装置がアクティブになる場合にアップデートコンテンツＮｅｗ＿ｃｏｎを収集するように制御する時期で決定されることができる。
【００５３】
データベース１５０は、コンテンツ抽出サーバ１００がコンテンツサーバからアップデートコンテンツＮｅｗ＿ｃｏｎを収集して分類し、分類されたコンテンツをモバイルに適用できるように変換したモバイルコンテンツＭｏｂｉｌ＿ｃｏｎ１，Ｍｏｂｉｌ＿ｃｏｎ２，．．．を格納する。モバイルコンテンツＭｏｂｉｌ＿ｃｏｎ１，Ｍｏｂｉｌ＿ｃｏｎ２，．．．は、コンテンツの題目を表すタイトルと、サイズの定義に応じるイメージと、コンテンツを説明する該当内容を含んで構成される。また、データベース１５０は、原本アップデートコンテンツＮｅｗ＿ｃｏｎ及びアップデートコンテンツＮｅｗ＿ｃｏｎから収集された原本タグを別途に格納することができる。
【００５４】
図６〜図９は、本発明の実施の形態によるコンテンツ収集器１３０がアップデートコンテンツＮｅｗ＿ｃｏｎからコンテンツを抽出するためにパターンを定義する第１〜第４コンテンツパターンＰａｔ＿ｃｏｎ１，Ｐａｔ＿ｃｏｎ２，Ｐａｔ＿ｃｏｎ３，Ｐａｔ＿ｃｏｎ４を示す図である。
【００５５】
図６に示すように、第１コンテンツパターンＰａｔ＿ｃｏｎ１は、ディスクリプションフィールドがコンテンツの開始点であるパターンである。すなわち、ＲＳＳフィードのディスクリプションフィールドの内容がＨｔｍｌ原文中に存在するディスクリプションフィールドの内容と同じ内容がある場合に、コンテンツとして認識して格納する。このとき、上位テーブルを検索してＨｔｍｌタグを削除した後、コンテンツとして格納する。
【００５６】
図７に示すように、第２コンテンツパターンＰａｔ＿ｃｏｎ２は、タイトルフィールドの内容がＨｔｍｌ原文のタイトルと同じ場合に、多様な類型のテーブル構造を考慮してタイトルフィールド下に本文コンテンツを第２コンテンツパターンＰａｔ＿ｃｏｎ２と決定できる。すなわち、第２コンテンツパターンＰａｔ＿ｃｏｎ２は、テーブル上に分布するセルの構造が図面で説明しているように、多様な形態に表示されうるので、タイトルを中心に各タグのうち、タイトル下に配置されたコンテンツ領域を抽出するようになる。ここで、図７は、タイトルとコンテンツとが横に羅列される場合を例に挙げて説明しているが、タイトルとコンテンツとの配列が多様な形態、縦及び縦と横との組み合わせ、又は対角に配列されうることは自明である。
【００５７】
図８に示すように、第３コンテンツパターンＰａｔ＿ｃｏｎ３は、タグを分析して各タグに点数を付与する方式でコンテンツパターンを定義し、合計が一定の数値以上であるとき、該当テキストをコンテンツと判断することによって決定されるパターンである。より詳細に説明すると、第３コンテンツパターンＰａｔ＿ｃｏｎ３は、図示のように、テーブル構造を分析したときに、タイトル部分を除き、各タグの横長が最も広い場合に一定の点数を付与し、各タグ内に一定のフォントで一定の文字以上で書かれている場合に、一定の点数をより付加する等の方法により点数を付与し、各タグが有する点数を互いに比較して、特定タグが一定の点数以上である場合には、第３コンテンツパターンＰａｔ＿ｃｏｎ３と認識して格納する。
【００５８】
図９に示すように、第４コンテンツパターンＰａｔ＿ｃｏｎ４は、アップデートコンテンツＮｅｗ＿ｃｏｎが第１〜第３コンテンツパターンＰａｔ＿ｃｏｎ１，Ｐａｔ＿ｃｏｎ２，Ｐａｔ＿ｃｏｎ３に属しない場合に、コンテンツ抽出サーバ１００の管理者が直接パターンを指定し、タグを抽出した後に、抽出されたタグをデータベース１５０に格納することができる。具体的に説明すると、第４コンテンツパターンＰａｔ＿ｃｏｎ４は、アップデートコンテンツＮｅｗ＿ｃｏｎから管理者がドラッグした部分のタグを分析し、以後に該当コンテンツサーバ用パターンを生成し、該当コンテンツサーバのコンテンツ収集時に既生成された該当コンテンツサーバ用パターンを適用する方式を使用する。要約すると、第４コンテンツパターンＰａｔ＿ｃｏｎ４は、アップデートコンテンツＮｅｗ＿ｃｏｎに含まれたコンテンツを新たな特定パターンと定義し、定義されたパターンに応じて、該当コンテンツサーバからコンテンツを抽出するために定義される。
【００５９】
図１０は、ＲＳＳ基盤のコンテンツ抽出サーバを利用して、アップデートコンテンツをデータベース１５０に格納する方法を示したフローチャートである。ＲＳＳ基盤のコンテンツ抽出サーバの運用方法は、まず、ＲＳＳ収集器１１０がコンテンツサーバからＲＳＳフィードを収集する（Ｓ３１）。
【００６０】
次に、コンテンツ収集器１３０は、ＲＳＳ収集器１１０が収集したＲＳＳフィードを分析する（Ｓ３２）。
【００６１】
コンテンツ収集器１３０は、ＲＳＳフィードを４個のコンテンツパターンＰａｔ＿ｃｏｎ１，Ｐａｔ＿ｃｏｎ２，Ｐａｔ＿ｃｏｎ３，Ｐａｔ＿ｃｏｎ４に分類し、分類された各コンテンツパターンＰａｔ＿ｃｏｎ１，Ｐａｔ＿ｃｏｎ２，Ｐａｔ＿ｃｏｎ３，Ｐａｔ＿ｃｏｎ４からタグを部分的に抽出する。
【００６２】
次に、コンテンツ変換器１４０は、コンテンツ収集器１３０により抽出されたタグをモバイルサイズに適用されうるように、ユーザコンテンツ、例えば、モバイルコンテンツＭｏｂｉｌ＿ｃｏｎ１，Ｍｏｂｉｌ＿ｃｏｎ２，．．．に変換する（Ｓ３３）。
【００６３】
次に、アップデートスケジューラ１２０は、ＲＳＳ収集器１１０がコンテンツサーバからＲＳＳフィードを収集する時期を決定する（Ｓ３４）。
【００６４】
最後に、データベース１５０は、コンテンツ変換器１４０により変換されたユーザコンテンツ、すなわち、モバイルコンテンツＭｏｂｉｌ＿ｃｏｎ１，Ｍｏｂｉｌ＿ｃｏｎ２，．．．を格納する（Ｓ３５）。
【００６５】
一方、コンテンツ抽出サーバ１００は、アップデートコンテンツＮｅｗ＿ｃｏｎから生成されてコンテンツ変換器１４０により変換されたコンテンツをモバイルに適用できるように、モバイルコンテンツＭｏｂｉｌ＿ｃｏｎ１，Ｍｏｂｉｌ＿ｃｏｎ２，．．．に変換することを例に挙げて説明しているが、モバイルだけでなく、多様な通信端末機に適用できるユーザコンテンツ形式に変換できる。
【００６６】
図１１は、本発明の実施の形態によるＲＳＳ基盤のコンテンツ抽出サーバ１００を運用するための管理装置を示す構成図である。ＲＳＳ基盤のコンテンツ抽出サーバの管理装置２００は、管理者のための管理者モジュール２１０、コンテンツサーバ管理のためのＣＰ（Ｃｏｎｔｅｎｔｓ  Ｐｒｏｖｉｄｅｒ）管理モジュール２２０、ＲＳＳチャネル及びコンテンツ管理モジュール２３０、掲示板／ヒストリーモジュール２４０を備えて構成される。
【００６７】
管理者モジュール２１０は、管理者追加、管理者承認、管理者入力テーブル、管理者権限項目を有する。
【００６８】
管理者追加項目において、最初の管理者を除いたすべての管理者は、加入手順により管理者として追加される。すなわち、ＣＰも権限の差がある管理者の一部である。
【００６９】
管理者承認において、すべての管理者は、加入手順以後、最初の管理者の承認手順を経た後に管理機能を使用するようになる。そして、最初の管理者は、システム認証者（Ｓｙｓｔｅｍ  Ａｄｍｉｎｉｓｔｒａｔｏｒ）とするが、最高等級を有する。管理者の加入手順過程において承認の必要な事項は、承認必要とし、不必要な事項は、自動承認とすることができる者を、最上位管理者が指定できるようにし、デフォルト（Ｄｅｆａｕｌｔ）は、自動承認なしに承認の手順を経るようにする。
【００７０】
管理者入力テーブルは、図１２に示すように、ＩＤ、パスワード、名前（Ｎａｍｅ）、所属及びグループ、電話番号、携帯電話番号、電子メール、等級、登録日時、脱退日時、承認日時などの項目を入力するテーブルであり、必須入力項目には、図１３に示すように、ＩＤ、パスワード、名前（Ｎａｍｅ）、所属及びグループ、電話番号及び電子メール番号と指定できる。所属及びグループは、管理者が予め設定したグループを選択するようにする。
【００７１】
管理者権限項目は、図１４に示すように、アイデンティティー管理（ｉｄｅｎｔｉｔｙ  ｍａｎａｇｅｍｅｎｔ）、グループ管理、ＣＰ管理、ＲＳＳチャネル管理、コンテンツ管理、カテゴリー管理、パターン、掲示板、ヒストリー、権限管理などの項目が含まれる。権限管理項目において、個別権限は、等級を追加して、追加された等級に権限を付与し、グループと個人には、等級を付与する方式により権限を付与するが、個別権限は付与しない。管理者は、権限に応じて等級を生成し、各個別権限を組み合わせて権限設定及び権限変更を実行できる。
【００７２】
ＣＰ管理モジュール２２０は、ＣＰ追加、ＣＰ承認、ＣＰ入力テーブル、ＣＰ権限、ＣＰリスト、サーチ（Ｓｅａｒｃｈ）項目を有する。
【００７３】
ＣＰ追加は、ＣＰが直接加入できるように、ＣＰ加入インタビューを別途に提供する。ＣＰは、管理者が追加でき、ＣＰが加入申請し承認により追加されうる。但し、管理者が追加する場合には、自動承認処理される。
【００７４】
ＣＰ承認項目において、ＣＰは、承認の権限を有した管理者が承認を行うことによって使用可能になり、管理者の場合には、自動承認処理される。
【００７５】
ＣＰ入力テーブルは、図１５に示すように、ＣＰアカウント（ＩＤ）、パスワード、会社名、代表電話、国籍、会社アドレス、コンテンツ名、ウェブサイト、接続名、担当者連絡先、担当者携帯電話番号、電子メール、ディスクリプション、登録日、満了日、承認日、現在状態の項目を含んで構成される。ここで、必須項目は、図１６に示すように、ＣＰアカウント、パスワード、会社名、代表電話、国籍、会社アドレス、コンテンツ名、ウェブサイト、接続名、担当者連絡先及び電子メールであり、管理者が登録する場合に、ＣＰアカウント、パスワード、会社名及び代表電話をその必須項目とする。一方、登録日は、自動的に入力され、契約期間は、ＣＰと管理者が設定でき、ＣＰのサービス期間、すなわち承認日から満了日までの期間ではない状態では、該当ＣＰのＲＳＳフィードを収集しない。
【００７６】
ＣＰ権限は、管理者が設定した権限に準拠し、基本的にＣＰ情報の変更権限を有する。すなわち、ＣＰがＣＰ情報を変更しようとするときには、ＣＰ入力テーブルのうち、パスワード、接続名、担当者連絡先、担当者携帯電話番号、電子メール及びディスクリプションの修正のみが可能なように制限することが好ましい。
【００７７】
ＣＰリストにおいて、整列方法のうち、デフォルト整列方式は、アルファベット順又は図１７に示すようにカナダ順（日本語のあいうえお順に相当）にし、英文が優先し、登録順の整列も可能である。リストの項目としてＣＰ入力テーブルのうち、ＣＰアカウント、会社名、コンテンツ名及び現在状態を必須的に表示する項目を指定することが好ましい。リスト項目を詳細に見せる詳細ページの機能は、ＣＰ入力テーブルのすべての項目を表示することが好ましく、現在登録されたチャネルリストを見せる。
【００７８】
サーチは、「ＡＮＤ」及び「ＯＲ」検索が可能である。
【００７９】
ＲＳＳチャネル／コンテンツ管理モジュール２３０は、ＲＳＳチャネル管理、ＲＳＳチャネル入力テーブル、ＲＳＳチャネルリスト、ＲＳＳチャネル状態、コンテンツ入力テーブル、コンテンツリスト、サーチ、自動バックアップ項目を有する。
【００８０】
ＲＳＳチャネル管理項目は、図１８に示すように、登録、登録時のプレビュー、パターン適用及び変更、周期設定及び変更、修正、削除、承認、一時中断、アップデート周期設定、警告機能を有する。登録は、チャネルを登録し、削除は、チャネル削除時にゴミ箱へ移動するように制御され、ゴミ箱に捨てられたチャネルは、管理者が再度復元させることができる。承認は、管理者又はＣＰが登録及び修正したチャネルを承認要請することであり、承認されたチャネルは、直ちに収集設定した周期に応じて収集される。承認は、承認必要と不必要とに区分されて承認手順が省略されうる。一時中断は、管理者及びＣＰがチャネル及びコンテンツの供給を一時中断できるようにする機能であり、一時中断したチャネル及びコンテンツは、収集及びデータベースに格納されない。アップデート周期は、秒単位に設定可能であり、最小アップデート周期を管理者が設定でき、カテゴリー設定が同時に行われる。警告機能は、障害発生時又は有効でないコンテンツの収集時に警告できる機能である。
【００８１】
ＲＳＳチャネル入力テーブルは、図１９に示すように、カテゴリー、チャネル名、ＵＲＬ、ＣＰ名、アップデート周期、現在状態、登録日時、承認日時、中断日時、最終アップデート完了日時項目を有する。
【００８２】
ＲＳＳチャネルリストにおいて、チャネル全体リストは、整列方法としてアルファベット順の整列、ＣＰ別整列、チャネル登録順の整列などの方法を有し、カテゴリー選択後にリストの整列方法も上述のように同様にして適用されうる。リスト項目は、ＲＳＳチャネル入力テーブルのうち、チャネル名、ＣＰ名、現在状態を必須的に表示するようにすることが好ましく、その他の項目は、選択的に表示可能である。リスト項目に対する詳細ページの項目は、ＲＳＳチャネル入力テーブルのすべての項目が表示されるようにすることが好ましい。ＲＳＳチャネルリストは、更新なしに追加登録されるコンテンツがアップデートされる状態が見られることができる。
【００８３】
ＲＳＳチャネル状態は、アップデート中、サービス中、一時中断中、テスト中の４つの状態を有することができる。アップデートは、自動的に行われ、現在収集、ウェブスクラップ、データベースの格納ステップを有することができる。サービス状態は、自動又は管理者設定などによりチャネルサービスが進行中である状態である。一時中断及びテストは、管理者が別途に設定する。
【００８４】
コンテンツ入力テーブルは、図２０に示すように、カテゴリー、チャネル名、ＵＲＬ、ＣＰ名、現在状態、最終アップデートの完了日時及び有効コンテンツの項目を有する。
【００８５】
コンテンツリストにおいて、全体コンテンツリストを見ることができるように、別途のページの割り当てが可能である。コンテンツリストの整列方法として、まずデフォルトは、最近アップデートの順にし、ＣＰ別整列が追加されうる。ＣＰ別整列は、アルファベットの順に見られ、英文及びハングルが混合されうるので、英文を優先にすることが好ましい。そして、ＣＰ別整列内で基本的にチャネル別整列が行われ、チャネルは、アルファベットの順に整列される。コンテンツリストには、更新なしに追加登録されるコンテンツのアップデートされた状態を見ることができる。
【００８６】
サーチには、チャネル検索とコンテンツ検索とがあり、各検索は、期間別、各項目別「ＡＮＤ」及び「ＯＲ」検索が可能である。
【００８７】
自動バックアップの項目は、指定された時点又は指定された周期、例えば、３ケ月周期にすべてのチャネル及びコンテンツのうち、少なくとも一つを自動的にバックアップし、「以前データビュー」のようなメニューとウェブを介して運営者がアクセスして検索できる。
【００８８】
掲示板／ヒストリーモジュール２４０は、掲示板とヒストリー項目とを有する。
【００８９】
掲示板は、管理者又は運営者がデータベースに変更を加える行為を行う場合に、コメントを書くことができる運営日誌の性格を有する一種の電子メモである。このような掲示板入力テーブルは、図２１に示すように、ＩＤ、名前、題目、ディスクリプション、登録日時、分類及びＨｉｔ項目を有する。管理者及び運営者は、ディスクリプション部分のみを入力できるように制限することが好ましい。掲示板リストは、「［分類］題目（Ｈｉｔ）  登録日時  説明」のようなコメント（ｒｅｐｌｙ）形式で作成され、統合掲示板は、図２２に示すように、一般掲示板の形式と似ており、フィールドは、ＮＯ、題目、作成者の名前、ＩＤ、登録日時が表示される。統合掲示板の詳細内容には、掲示板入力テーブルのすべての項目が表示されることが好ましく、統合掲示板の整列方法は、登録順とし、検索は、掲示板入力テーブルのすべての検索値に「ＡＮＤ」及び「ＯＲ」検索が可能である。統合掲示板は、ビュー、コメント書き、削除、修正が可能である。
【００９０】
ヒストリーは、管理者又は運営者及びＣＰがコンテンツ抽出サーバを利用しつつ発生するすべてのログ（ｌｏｇ）を掲示板の形式で見せており、これにより問題が発生する際には、問題をできる限り迅速に解決できる。このようなヒストリー入力テーブルは、図２３に示すように、ＩＤ、行為、クエリー（ｑｕｅｒｙ）値及びログ日時項目が含まれる。このヒストリーの発生状況は、データベースに活動が発生するすべての場合であり、ヒストリーリストの整列方法は、ログ発生順とする。ヒストリーリスト項目は、ヒストリー入力テーブルからクエリー値を除いた残りの３つの項目を表示するようにし、詳細ページでは、すべての項目を表示することが好ましい。検索は、クエリー値を除いた「ＡＮＤ」及び「ＯＲ」検索が可能である。
【００９１】
図２４は、本発明の他の実施の形態によるＲＳＳ基盤のコンテンツアップデートシステムを示す構成図である。ＲＳＳ基盤のコンテンツアップデートシステムは、少なくとも一つのコンテンツサーバ９９、コンテンツ抽出サーバ１００、データベース１５０、アップデートコンテンツ提供サーバ４００を備えて構成される。
【００９２】
ＲＳＳ基盤のコンテンツアップデートシステムにおいて、コンテンツ抽出サーバ１００のうち、コンテンツ変換器、アップデートコンテンツ提供サーバ４００を除いた構成は、上述の構成と同じ構成であるので、詳細な説明を省略する。
【００９３】
コンテンツ変換器は、コンテンツサーバから収集されて分析及び分類されたコンテンツを無線網及びユビキタスネットワークに接続する無線端末装置及びネットワーク端末装置に送信されるためのデータ形式に変換する。例えば、無線ノート型パソコンの場合に、インターネット網から収集したアップデートコンテンツＮｅｗ＿ｃｏｎが特別な変換無しで送信が可能であり、無線ＰＤＡである場合には、コンテンツ変換器は、ＰＤＡ規格に合うサイズに変換してデータベースに格納する。ユビキタスネットワークに接続する端末装置、例えば、冷蔵庫、洗濯機、自動車、ステレオ、複写機などのような端末装置において、コンテンツ変換器は、各端末装置ユーザが必要とする情報を各端末装置に適用されうるデータに変換してデータベースに格納するようになる。このような方式により、冷蔵庫、洗濯機などのようなユビキタスネットワークに接続する端末装置は、コンテンツ抽出サーバ１００からアップデートされるべきソフトウェアなどを自動的に受信して、アップグレード及びアップデートが行われるようになる。
【００９４】
アップデートコンテンツ提供サーバ４００は、データベース１５０に接続して無線網及びユビキタスネットワーク網に接続されて、アップデート資料及びアップデートソフトウェア又はパッチなどを必要とする無線端末装置及びユビキタスネットワーク端末装置に必要な情報を提供する。このとき、情報は、無線端末装置及びユビキタスネットワーク端末装置に適用されるようにするために、コンテンツ抽出サーバ１００が各コンテンツサーバ９９から収集したアップデートコンテンツＮｅｗ＿ｃｏｎを無線端末装置及びユビキタスネットワーク端末装置に合うように新しく加工した情報である。このために、アップデートコンテンツ提供サーバ４００は、無線端末装置及びユビキタスネットワーク端末装置と通信チャネルを形成しなければならず、各無線端末装置及びユビキタスネットワーク端末装置に適用されうるアップデートコンテンツの大きさ及びデータ形式を獲得して、コンテンツ抽出サーバ１００に提供できなければならない。アップデートコンテンツの大きさ及びデータ形式を獲得したコンテンツ抽出サーバ１００は、コンテンツ変換器を利用してアップデートコンテンツの大きさ及びデータ形式を各々の無線端末装置及びユビキタスネットワーク端末装置に合うように変換し、データベース１５０に格納するようになる。
【産業上の利用可能性】
【００９５】
以上説明したように、本発明の実施の形態によるＲＳＳ基盤移動通信端末装置の待機画面提供システムによると、コンテンツサーバからＲＳＳフィードを収集し、収集されたＲＳＳフィードを各移動通信端末装置が有するデータ形式及び大きさに合うように加工して各移動通信端末装置の待機画面に提供することによって、移動通信ユーザの望む時期に手軽にアップデートコンテンツを確認することができ、したがって、より多くの情報をより速く、かつ手軽に移動通信ユーザに提供して顧客満足度を改善できる。
【００９６】
また、本発明の実施の形態によるＲＳＳ基盤のコンテンツ抽出サーバ及び方法によると、コンテンツ抽出サーバがＲＳＳフィードで作成されるアップデートコンテンツを収集し、アップデートコンテンツから内容を抽出し、受信される端末装置の特性に応じて抽出されたコンテンツの大きさ及びデータ形式を変換して提供することによって、インターネットなどのネットワーク上のコンテンツサーバのアップデート情報を効率的に移動通信などの異種の通信網ユーザに提供できる。
【００９７】
また、本発明の実施の形態によるＲＳＳ基盤のコンテンツ抽出サーバ及び方法によると、収集されたコンテンツを、ディスクリプションフィールド内に内容が含まれた第１コンテンツパターン、タイトルの位置を基準に内容抽出が可能な第２コンテンツパターン、多様なタグに一定の点数を付与し、一定の点数以上を獲得したタグから内容抽出が可能な第３コンテンツパターン、及び収集されたコンテンツを直接的にドラッグしてタグを抽出する第４コンテンツパターンに区分することによって、アップデートコンテンツの分類及び分析において、より普遍化し一般化した形式に従った整理によりアップデートコンテンツの収集及び分析ステップを簡素化及び専門化できる。
【００９８】
本発明の実施の形態によるＲＳＳ基盤のコンテンツ抽出サーバの管理装置は、コンテンツ抽出サーバを管理する管理装置を具備して、コンテンツ抽出サーバに管理者及びアップデートされるコンテンツを提供するコンテンツサーバなどを登録し、登録された以後に、修正及び削除などが可能である。
【００９９】
また、本発明の実施の形態によるＲＳＳ基盤の移動通信端末機の待機画面提供システムによると、ＲＳＳフィードで作成されるアップデートコンテンツを提供するコンテンツサーバ、コンテンツサーバから収集されるアップデートコンテンツを分析及び分類し必要なタグを抽出して、受信される端末装置に適用される大きさ及びデータ形式に変換するコンテンツ抽出サーバ、変換されたコンテンツを格納するデータベース、データベースから変換されたコンテンツを多種多様な端末装置に送信するアップデートコンテンツサーバを具備して、多種多様な端末装置に適応的にアップデートコンテンツを提供できる。
【０１００】
本発明の実施の形態によるＲＳＳ基盤の移動通信端末機の待機画面提供システムによると、ＲＳＳフィードで作成されるアップデートコンテンツを、端末装置が移動通信端末装置、無線端末装置、ユビキタスネットワーク端末装置など通信チャネルを形成できる多様な端末装置に適用されうる大きさ及びデータ形式に変換することによって、インターネットに接続するコンピュータ端末機だけでなく、移動可能な移動端末装置に適切なアップデートコンテンツを提供することができる。
【図面の簡単な説明】
【０１０１】
【図１】本発明の実施の形態によるＲＳＳ基盤移動通信端末装置の待機画面提供システムを示す構成図である。
【図２】本発明の実施の形態によるＲＳＳ基盤のコンテンツ抽出サーバを示す構成図である。
【図３】図１の各構成間に送信されるコンテンツの流れを示す構成図である。
【図４】図１のコンテンツ収集器のアップデートコンテンツを多様なパターン基準により分析及び分類するフローチャートである。
【図５】図１のコンテンツ変換器の新しいユーザコンテンツを生成する順序を示すフローチャートである。
【図６】第１コンテンツパターンを示す画面構成図である。
【図７】第２コンテンツパターンを示す画面構成図である。
【図８】第３コンテンツパターンを示す画面構成図である。
【図９】第４コンテンツパターンを示す画面構成図である。
【図１０】本発明の実施の形態によるＲＳＳ基盤のコンテンツ抽出サーバの運用方法を示したフローチャートである。
【図１１】本発明の実施の形態によるＲＳＳ基盤のコンテンツ抽出サーバの管理装置を示す構成図である。
【図１２】管理者入力テーブルに入力される項目を示す構成図である。
【図１３】図１２の管理者入力テーブル項目のうち、必須入力項目が表示される画面を示す画面構成図である。
【図１４】管理者権限に属する項目を示す構成図である。
【図１５】ＣＰ入力テーブルに入力される項目を示す構成図である。
【図１６】図１５のＣＰ入力テーブル項目のうち、必須入力項目が表示される画面を示す画面構成図である。
【図１７】ＣＰリストをカナダ整列順（日本語のあいうえお順に相当）に整列させる画面を示す画面構成図である。
【図１８】ＲＳＳチャネル管理項目を含んで構成される画面を示す画面構成図である。
【図１９】ＲＳＳチャネル入力テーブルに入力される項目を示す構成図である。
【図２０】コンテンツ入力テーブルに入力される項目を示す構成図である。
【図２１】掲示板入力テーブルに入力される項目を示す構成図である。
【図２２】図２１の掲示板項目を含んで構成される画面を示す画面構成図である。
【図２３】ヒストリー入力テーブルに入力される項目を示す構成図である。
【図２４】本発明の実施の形態によるコンテンツＲＳＳ基盤のアップデートシステムを示す構成図である。
【図１】
2009512934.tif 000002
【図２】
2009512934.tif 000003
【図３】
2009512934.tif 000004
【図４】
2009512934.tif 000005
【図５】
2009512934.tif 000006
【図６】
2009512934.tif 000007
【図７】
2009512934.tif 000008
【図８】
2009512934.tif 000009
【図９】
2009512934.tif 000010
【図１０】
2009512934.tif 000011
【図１１】
2009512934.tif 000012
【図１２】
2009512934.tif 000013
【図１３】
2009512934.tif 000014
【図１４】
2009512934.tif 000015
【図１５】
2009512934.tif 000016
【図１６】
2009512934.tif 000017
【図１７】
2009512934.tif 000018
【図１８】
2009512934.tif 000019
【図１９】
2009512934.tif 000020
【図２０】
2009512934.tif 000021
【図２１】
2009512934.tif 000022
【図２２】
2009512934.tif 000023
【図２３】
2009512934.tif 000024
【図２４】
2009512934.tif 000025
【国際調査報告】
2009512934.tif 000026
2009512934.tif 000027